(57)【要約】      （修正有）【課題】パラメータの設定・編集に伴う作業効率の低下を抑制することができる自動分析装置およびその制御方法を提供する。【解決手段】分析処理を行っていない状態であるスタンバイ状態中に分析処理に用いるパラメータが設定・編集された場合にはそのパラメータを第１の記憶部１２４に記憶するとともに第１の記憶部１２４に記憶されたパラメータを用いて分析処理を実行し、分析処理中にパラメータが設定・編集された場合にはそのパラメータを第２の記憶部１３４に記憶し、分析処理が実行されている状態からスタンバイ状態に遷移した場合には第２の記憶部１３４に記憶されたパラメータを第１の記憶部１２４に記憶する。【選択図】図２
2018036232.tif 000002
【特許請求の範囲】
【請求項１】
試料の分析に用いる試薬を収容した複数の試薬容器が搭載される試薬ディスクと、
前記試料と試薬とを反応させる複数の反応容器が配置された反応ディスクと、
前記反応ディスクの前記反応容器に前記試料を分注する試料分注機構と、
前記反応ディスクの前記反応容器に前記試薬を分注する試薬分注機構と、
前記反応容器の前記試料と前記試薬の反応液を測定する測定部と、
前記試料及び試薬の分注から前記測定の結果の解析までの一連の処理によって前記試料の分析を行う分析処理に用いるパラメータをオペレータが設定・編集するための設定部と、
前記パラメータを用いて前記分析処理を実行する制御部であって、前記分析処理を行っていない状態であるスタンバイ状態中に前記パラメータが設定・編集されて適用された場合にはそのパラメータを第１の記憶部に記憶するとともに前記第１の記憶部に記憶された前記パラメータを用いて前記分析処理を実行し、前記分析処理中に前記パラメータが設定・編集されて適用された場合にはそのパラメータを第２の記憶部に記憶し、前記分析処理が実行されている状態から前記スタンバイ状態に遷移した場合には前記第２の記憶部に記憶された前記パラメータを前記第１の記憶部に記憶する制御部と
を備えたことを特徴とする自動分析装置。
【請求項２】
試料の分析に用いる試薬を収容した複数の試薬容器が搭載される試薬ディスクと、
前記試料と試薬とを反応させる複数の反応容器が配置された反応ディスクと、
前記反応ディスクの前記反応容器に前記試料を分注する試料分注機構と、
前記反応ディスクの前記反応容器に前記試薬を分注する試薬分注機構と、
前記反応容器の前記試料と前記試薬の反応液を測定する測定部と、
前記試料及び試薬の分注から前記測定の結果の解析までの一連の処理によって前記試料の分析を行う分析処理に用いるパラメータをオペレータが設定・編集するための設定部と、
前記分析処理の実行に際して読み出されて前記分析処理に用いられるパラメータを記憶する第１の記憶部と、
前記分析処理中に設定・編集された前記パラメータを一時的に記憶し、前記分析処理が実行されている状態から前記分析処理を行っていない状態であるスタンバイ状態に遷移した場合に前記パラメータが読み出されて前記第１の記憶部に記憶される第２の記憶部と、
前記スタンバイ状態中に前記パラメータが設定・編集されて適用された場合には、そのパラメータを前記第１の記憶部に記憶するとともに、前記第１の記憶部に記憶されたパラメータを用いて前記試料を分析する分析処理を実行する制御部と、
前記パラメータを用いて前記分析処理を実行する制御部であって、前記スタンバイ状態中に前記パラメータが設定・編集された場合にはそのパラメータを第１の記憶部に記憶させるとともに前記第１の記憶部に記憶された前記パラメータを用いて前記分析処理を実行し、前記分析処理中に前記パラメータが設定・編集された場合にはそのパラメータを第２の記憶部に記憶させ、前記分析処理を実行している状態から前記スタンバイ状態に遷移した場合には前記第２の記憶部に記憶された前記パラメータを前記第１の記憶部に記憶させる制御部と
を備えたことを特徴とする自動分析装置。
【請求項３】
請求項１又は２記載の自動分析装置において、
前記第２の記憶部に記憶された前記パラメータが前記第１の記憶部に記憶されると、前記第２の記憶部に記憶された前記パラメータは削除されることを特徴とする自動分析装置。
【請求項４】
請求項１又は２記載の自動分析装置において、
前記制御部は、前記分析処理中に他の試料の分析処理の開始が指示されると、前記第２の記憶部に記憶された前記パラメータを用いて前記他の試料の分析処理を、先の試料の分析処理の終了後に続けて実行することを特徴とする自動分析装置。
【請求項５】
請求項１又は２記載の自動分析装置において、
前記設定部は、前記オペレータにより入力される前記パラメータが適用される時期を入力時以外の時期に設定することができる適用時期設定部を備え、
前記制御部は、前記設定部に入力されたパラメータが前記適用時期設定部により設定された時期に設定・編集されたものとして取り扱うことを特徴とする自動分析装置。
【請求項６】
試料の分析に用いる試薬を収容した複数の試薬容器が搭載される試薬ディスクと、前記試料と試薬とを反応させる複数の反応容器が配置された反応ディスクと、前記反応ディスクの前記反応容器に前記試料を分注する試料分注機構と、前記反応ディスクの前記反応容器に前記試薬を分注する試薬分注機構と、前記反応容器の前記試料と前記試薬の反応液を測定する測定部とを備えた自動分析装置の制御方法であって、
前記試料及び試薬の分注から前記測定の結果の解析までの一連の処理によって前記試料の分析を行う分析処理に用いるパラメータをオペレータが設定・編集する手順と、
前記分析処理を行っていない状態であるスタンバイ状態中に前記パラメータが設定・編集された場合にはそのパラメータを第１の記憶部に記憶するとともに前記第１の記憶部に記憶された前記パラメータを用いて前記分析処理を実行する手順と、
前記分析処理中に前記パラメータが設定・編集された場合にはそのパラメータを第２の記憶部に記憶する手順と、
前記分析処理が実行されている状態から前記スタンバイ状態に遷移した場合には、前記第２の記憶部に記憶された前記パラメータを前記第１の記憶部に記憶する手順とを有することを特徴とする自動分析装置の制御方法。
【発明の詳細な説明】
【技術分野】
【０００１】
本発明は、血液や尿などの生体サンプルの定性・定量分析を行う自動分析装置およびその制御方法に関する。
【背景技術】
【０００２】
血液や尿等の生体試料に予め搭載した複数の種類の試薬を添加することにより試料に含まれる特定成分の定量・定性分析を行う自動分析装置は、測定結果の再現性が高く、また、測定の迅速化を図ることができるという特徴をもつとともに、試料搬送ラインを介して複数の分析部を接続することによって分析処理能力の向上や測定項目の多様化に対応することができることもあり、規模の大きな病院や臨床検査センターなどを中心に導入が進められている。
【０００３】
このような自動分析装置の設定に係る技術として、例えば、特許文献１（特開平８−３３８８４８号公報）には、試料分析作業時に、反応槽上に配置した反応容器内に試料と試薬を分注し、該反応容器の内容物を測定し、内容物測定後の反応容器を洗浄する自動分析装置において、反応容器の洗浄および分注プローブの洗浄の各処理単位を含む処理一覧を記憶する処理一覧記憶手段と、該処理一覧記憶手段から読み出された上記各処理単位を含む処理一覧の画面を表示する画面表示手段と、上記画面上の処理一覧の中から選択された処理単位からなる準備動作を記憶する準備動作記憶手段と、分析装置の電源を立ち上げる日を予約するための欄と上記電源を立ち上げる時分を予約するための欄を記憶する時間設定欄記憶手段と、該時間設定欄記憶手段から上記画面表示手段に読み出された画面を介して設定された日および時分を記憶する予約時間記憶手段と、上記設定された日の上記設定された時分になると、試料分析作業開始前に上記選択された処理単位からなる準備動作を上記分析装置に実行させる制御手段とを備えた自動分析装置が開示されている。
【先行技術文献】
【特許文献】
【０００４】
【特許文献１】特開平８−３３８８４８号公報
【発明の概要】
【発明が解決しようとする課題】
【０００５】
ところで、自動分析装置では、メンテナンスや試薬の評価、測定結果の妥当性の確認等を目的として、測定項目やシステムに関するパラメータをユーザーが設定・編集する場合がある。その一方で、試料の測定中におけるパラメータの設定・編集は測定中の測定項目の測定結果に影響を生じる可能性があるため、試料の測定中のパラメータの設定・編集は制限されている場合が多い。このため、パラメータの設定・編集を行う場合には、ユーザーは測定中の測定項目が完了するまで待機したり、測定中の測定項目を中断したりすることで自動分析装置をパラメータの設定・編集が可能な状態（以下、スタンバイ状態と称する）に移行させる必要が生じる。
【０００６】
しかしながら、パラメータの設定・編集を行う際に自動分析装置がスタンバイ状態になるまでオペレータが待機する必要が生じた場合には作業効率が低下するおそれがある。また、パラメータの設定・編集はスタンバイ状態で行うために試料の測定を行うことができず、作業効率のさらなる低下が懸念される。特に、大病院や臨床検査センターなどでは分析対象の試料数が多いために自動分析装置を２４時間稼動させる場合もあり、スタンバイ状態になるまでオペレータが待機したり、測定を停止するスタンバイ状態でパラメータの設定・編集を行ったりすることの影響が大きいと考えられる。
【０００７】
本発明は上記に鑑みてなされたものであり、パラメータの設定・編集に伴う作業効率の低下を抑制することができる自動分析装置およびその制御方法を提供することを目的とする。
【課題を解決するための手段】
【０００８】
上記目的を達成するために、本発明は、試料の分析に用いる試薬を収容した複数の試薬容器が搭載される試薬ディスクと、前記試料と試薬とを反応させる複数の反応容器が配置された反応ディスクと、前記反応ディスクの前記反応容器に前記試料を分注する試料分注機構と、前記反応ディスクの前記反応容器に前記試薬を分注する試薬分注機構と、前記反応容器の前記試料と前記試薬の反応液を測定する測定部と、前記試料及び試薬の分注から前記測定の結果の解析までの一連の処理によって前記試料の分析を行う分析処理に用いるパラメータをオペレータが設定・編集するための設定部と、前記パラメータを用いて前記分析処理を実行する制御部であって、前記分析処理を行っていない状態であるスタンバイ状態中に前記パラメータが設定・編集された場合にはそのパラメータを第１の記憶部に記憶するとともに前記第１の記憶部に記憶された前記パラメータを用いて前記分析処理を実行し、前記分析処理中に前記パラメータが設定・編集された場合にはそのパラメータを第２の記憶部に記憶し、前記分析処理が実行されている状態から前記スタンバイ状態に遷移した場合には前記第２の記憶部に記憶された前記パラメータを前記第１の記憶部に記憶する制御部とを備えたものとする。
【発明の効果】
【０００９】
本発明によれば、パラメータの設定・編集に伴う作業効率の低下を抑制することができる。
【図面の簡単な説明】
【００１０】
【図１】一実施の形態に係る自動分析装置の全体構成を概略的に示す図である。
【図２】制御装置の機能を模式的に示す機能ブロック図である。
【図３】パラメータ設定画面を示す図である。
【図４】登録ボタン押下時の制御部における処理を示すフローチャートである。
【図５】スタートボタン押下時の制御部における処理を示すフローチャートである。
【図６】自動分析装置の動作状態の遷移時の制御部における処理を示すフローチャートである。
【図７】自動分析装置の起動時の制御部における処理を示すフローチャートである。
【図８】自動分析装置の動作の一例を示す図である。
【発明を実施するための形態】
【００１１】
本発明の一実施の形態を図面を参照しつつ説明する。
【００１２】
図１は、本実施の形態に係る自動分析装置の全体構成を概略的に示す図である。
【００１３】
図１において、自動分析装置１００は、分析対象である血液や尿などの生体サンプル、精度管理試料、或いは、キャリブレーション用の試料など（以下、これらをまとめて試料と称する）を収容した１つ以上（例えば５つ）の試料容器１０１を搭載する試料容器ラック１０２が投入される試料容器投入部１１０と、試料容器１０１に収容された試料に対して分析処理を行う１つ以上（例えば３つ）の分析部１１１と、自動分析装置１００での処理が終了した試料容器１０１を搭載した試料容器ラック１０２を収納する試料容器収納部１１２と、試料容器投入部１１０、分析部１１１、及び、試料容器収納部１１２の間で試料容器ラック１０２を搬送する搬送ライン１０３と、自動分析装置１００の各構成とネットワークケーブル及びハブ１１３を介して接続され、自動分析装置１００全体の動作を制御する制御装置１１４とから概略構成されている。
【００１４】
制御装置１１４は、ネットワークを介して上位ホストシステム１１６に接続されており、また、公衆回線１１５を介してリモートシステム１１７に接続されている。オペレータが制御装置１１４の入力部１１４ｂ（後述）や上位ホストシステム１１６から分析依頼を行うと、分析依頼に係る情報はネットワークを介して各分析部１１１に送信されるとともに、分析部１１１での分析結果が制御装置１１４（及び、必要に応じて上位ホストシステム１１６）に送信される。リモートシステム１１７には、自動分析装置１００での分析処理に使用する試薬に関する分析条件情報であるパラメータなどの情報が蓄積されており、制御装置１１４からの要求に応じてパラメータの配信を行う。配信されたパラメータは制御装置１１４で記憶され、試料の分析処理の実行時に各分析部１１１へ送信される。
【００１５】
分析部１１１は、試料の分析に用いる試薬が収容された複数の試薬容器１０４ａを搭載する試薬ディスク１０４と、試料と試薬とを混合させて反応させるための複数の反応容器１０５ａが配置された反応ディスク１０５と、搬送ライン１０３により搬送された試料容器１０１の試料を反応ディスク１０５の反応容器１０５ａに分注する試料分注機構１０６と、試薬ディスク１０４の試薬容器１０４ａの試薬を反応容器１０５ａに分注する試薬分注機構１０７と、反応容器１０５ａに分注された試料と試薬の混合液（反応液）に光源１０８ａからの光を照射してその透過光や散乱光を検出器１０８ｂで検出することにより反応液の測定を行う測定部１０８とから概略構成されている。
【００１６】
図２は、制御装置の機能を模式的に示す機能ブロック図である。
【００１７】
図２において、制御装置１１４は、表示部１１４ａと、入力部１１４ｂと、制御部１１４ｃと、記憶部１１４ｄとを備えている。
【００１８】
入力部１１４ｂは、オペレータによる各種情報の入力や操作指示を入力するためのものであり、例えば、マウスやキーボード等である。
【００１９】
表示部１１４ａは、各種設定画面や操作画面、各種情報、分析結果等を表示するものであり、グラフィックユーザインタフェース（ＧＵＩ）として入力部１１４ｂにより操作することができる。
【００２０】
入力部１１４ｂと表示部１１４ａは、試料及び試薬の分注から測定の結果の解析までの一連の処理によって試料の分析を行う分析処理に用いるパラメータをオペレータが設定・編集するための設定部を構成している。
【００２１】
記憶部１１４ｄは、分析処理に用いるパラメータや各種設定、試薬情報、分析結果等を記憶するものであり、分析処理に用いるパラメータを記憶する第１の記憶部１２４と、第１の記憶部１２４に記憶される前のパラメータをテンポラリファイルとして一時的に記憶する第２の記憶部１３４とを有している。第１及び第２の記憶部１２４，１３４の記憶の詳細については後述する。
【００２２】
制御部１１４ｃは、制御装置１１４の各構成を制御することによって自動分析装置１００全体の動作を制御するものであり、第１の記憶部１２４に記憶されたパラメータを用いて分析処理を実行する。
【００２３】
自動分析装置１００では、分析処理を行っていない状態であるスタンバイ状態において、試料容器投入部１１０に分析対象の試料が投入されて分析処理の開始が指示される（言い換えると、表示部１１４ａに表示されたスタートボタン（図示せず）が入力部１１４ｂの操作により押下される）と、分析処理が即時開始され、該当する試料の分析処理が終了すると試料容器収納部１１２に搬送されてスタンバイ状態に遷移する。また、分析処理中に分析対象の他の試料が投入されてスタートボタンが押下されると、該当する試料の分析処理の開始が予約された状態となり、分析処理中の試料の分析処理が終了した後にスタンバイ状態に遷移せずに他の試料の分析処理が連続して開始され、分析処理の開始が予約された全ての試料の分析処理が終了した後にスタンバイ状態に遷移する。
【００２４】
ここで、分析処理に用いるパラメータの設定・編集を行う設定・編集処理について説明する。
【００２５】
本実施の形態の設定・編集処理では、設定部においてオペレータによるパラメータの設定・編集が行われて適用が指示された場合、そのときの自動分析装置１００の動作状態によって設定・編集されたパラメータの取り扱いを変えるものである。
【００２６】
図３は、パラメータ設定画面を示す図である。
【００２７】
図３において、パラメータ設定画面３０１は表示部１１４ａに表示されるものであり、パラメータを直接入力したりリモートシステム１１７から読み出すパラメータを選択的に入力したりすることによりパラメータの入力を行うパラメータ入力部３０２と、パラメータ入力部３０２に入力したパラメータの適用時期を設定する適用時期設定部３０３と、パラメータ入力部３０２及び適用時期設定部３０３の設定内容を登録して有効にする登録ボタン３０４と、パラメータ設定画面３０１の入力内容を破棄してキャンセルする閉じるボタン３０５とを有している。なお、図３において、パラメータ入力部３０２は分析処理に必要な各種パラメータを直接入力したり選択的に入力したりすることができれば良く、詳細については図示を省略する。
【００２８】
適用時期設定部３０３は、パラメータ入力部３０２に入力したパラメータの適用時期を設定せず、登録ボタン３０４の押下時に適用するように設定する設定なし選択部３０３ａと、パラメータ入力部３０２に入力したパラメータの適用時期を日付指定する日付指定部３０３ｂとを有している。設定なし選択部３０３ａと日付指定部３０３ｂは、いずれか一方のみが選択可能である。日付指定部３０３ｂには、パラメータを適用したい時期（例えば、年／月／日）を入力可能であり、指定された日付にとなったとき、又は、指定された日付を過ぎたときにパラメータが適用される。
【００２９】
続いて、パラメータ設定画面３０１で登録ボタン３０４が押下されたときの制御装置１１４の処理について説明する。
【００３０】
図４は、登録ボタン押下時の制御部における処理を示すフローチャートである。
【００３１】
図４において、制御部１１４ｃは、登録ボタン３０４が押下されると、適用時期設定部３０３で設定なし選択部３０３ａと日付指定部３０３ｂのいずれが選択されたかを判定し（ステップＳ４０１）、設定なし選択部３０３ａが選択されたと判定した場合には、自動分析装置１００が分析処理を行っていない状態であるスタンバイ状態であるかどうかを判定する（ステップＳ４０２）。ステップＳ４０２での判定結果がＹＥＳの場合には、パラメータ設定画面３０１のパラメータ入力部３０２に入力して設定・編集したパラメータを第１の記憶部１２４に保存（記憶）し（ステップＳ４０３）、処理を終了する。
【００３２】
また、ステップＳ４０２での判定結果がＮＯの場合には、第２の記憶部１３４にテンポラリファイルがあるかどうか（パラメータが一時的に記憶されているか）、及びテンポラリファイルの数が分析処理を開始した回数（スタートボタンが押下された回数）と同じかどうかを判定し（ステップＳ４０４，Ｓ４０５）、ステップＳ４０４，Ｓ４０５の両方の判定結果がＹＥＳの場合には、パラメータ設定画面３０１のパラメータ入力部３０２に入力して設定・編集したパラメータを第２の記憶部１３４に記憶された既存のテンポラリファイルに上書きして保存し（ステップＳ４０６）、処理を終了する。また、ステップＳ４０４，Ｓ４０５の少なくともいずれか一方の判定結果がＮＯの場合には、パラメータ設定画面３０１のパラメータ入力部３０２に入力して設定・編集したパラメータを第２の記憶部１３４に新規のテンポラリファイルとして保存し（ステップＳ４０７）、処理を終了する。
【００３３】
また、ステップＳ４０１において、日付指定部３０３ｂが選択されたと判定した場合には、第２の記憶部１３４にテンポラリファイルがあるかどうか（パラメータが一時的に記憶されているか）を判定し（ステップＳ４０８）、判定結果がＹＥＳの場合には、パラメータ設定画面３０１のパラメータ入力部３０２に入力して設定・編集したパラメータを第２の記憶部１３４に記憶された既存のテンポラリファイルに上書きして保存し（ステップＳ４０９）、判定結果がＮＯの場合には、第２の記憶部１３４に新規のテンポラリファイルとして保存し（ステップＳ４１０）、処理を終了する。
【００３４】
図５は、スタートボタン押下時の制御部における処理を示すフローチャートである。
【００３５】
図５において、制御部１１４ｃは、スタートボタンが押下されると、分析処理の開始はスタンバイ状態からの遷移であるかどうかを判定し（ステップＳ５０１）、判定結果がＹＥＳの場合には、第１の記憶部１２４からパラメータを読み出して取得する（ステップＳ５０２）。また、ステップＳ５０１での判定結果がＮＯの場合には、第２の記憶部１３４にテンポラリファイルがあるかどうかを判定し（ステップＳ５０３）、判定結果がＹＥＳの場合には、最新のテンポラリファイルのパラメータを読み出して取得し（ステップＳ５０４）、判定結果がＮＯの場合には、第１の記憶部１２４からパラメータを読み出して取得する（ステップＳ５０５）。
【００３６】
ステップＳ５０２，Ｓ５０４，Ｓ５０５のいずれかにおいてパラメータを取得した後、取得したパラメータの整合性が取れているか、或いは、編集中などの事由により異常なパラメータとなっていないかをチェックするパラメータチェックを行って、チェック結果が正常であるかどうかを判定し（ステップＳ５０６）、判定結果がＹＥＳの場合には、取得したパラメータを用いて分析処理を開始し（ステップＳ５０７）、処理を終了する。また、ステップＳ５０６での判定結果がＮＯの場合は、表示部１１４ａに、パラメータが異常な状態となっている旨の注意画面を表示してオペレータに報知し（ステップＳ５０８）、分析処理を中止し（分析処理を開始せず）（ステップＳ５０９）、処理を終了する。
【００３７】
図６は、自動分析装置の動作状態の遷移時の制御部における処理を示すフローチャートである。
【００３８】
図６において、制御部１１４ｃは、自動分析装置１００の動作状態が遷移すると、スタンバイ状態への遷移かどうかを判定し（ステップＳ６０１）、判定結果がＮＯの場合には、処理を終了する。また、ステップＳ６０１での判定結果がＹＥＳの場合には、適用時期設定部３０３で設定なし選択部３０３ａと日付指定部３０３ｂのいずれが選択されたかを判定し（ステップＳ６０２）、設定なし選択部３０３ａが選択されたと判定した場合には、第２の記憶部１３４に記憶されたテンポラリファイルのパラメータのうち最新のものを第１の記憶部１２４に記憶させ（ステップＳ６０３）、第２の記憶部１３４に記憶されている全てのテンポラリファイルを削除し（ステップＳ６０４）、処理を終了する。また、ステップＳ６０２において、日付指定部３０３ｂが選択されたと判定した場合には、第２の記憶部１３４に記憶されているテンポラリファイルのうち最新のものを残し、他のテンポラリファイルを削除し（ステップＳ６０５）、処理を終了する。
【００３９】
図７は、自動分析装置の起動時の制御部における処理を示すフローチャートである。
【００４０】
図７において、制御部１１４ｃは、自動分析装置１００が起動されると、まず、適用時期設定部３０３で設定なし選択部３０３ａと日付指定部３０３ｂのいずれが選択されたかを判定し（ステップＳ７０１）、設定なし選択部３０３ａが選択されたと判定した場合には、自動分析装置１００を起動させる起動処理を開始し（ステップＳ６０５）、処理を終了する。
【００４１】
また、ステップＳ７０１において、日付指定部３０３ｂが選択されたと判定した場合には、現在の日付が日付指定部３０３ｂで指定された日付かどうか、又は、指定された日付以降であるかどうかを判定し（ステップＳ７０２，７０３）、ステップＳ７０２、Ｓ７０３の少なくともいずれか一方の判定結果がＹＥＳの場合には、第２の記憶部１３４に記憶されたテンポラリファイルのパラメータのうち最新のものを第１の記憶部１２４に記憶させ（ステップＳ７０４）、第２の記憶部１３４に記憶されている全てのテンポラリファイルを削除し（ステップＳ７０５）、自動分析装置１００を起動させる起動処理を開始し（ステップＳ６０５）、処理を終了する。また、ステップＳ７０２、Ｓ７０３の両方の判定結果がＮＯの場合には、自動分析装置１００を起動させる起動処理を開始し（ステップＳ６０５）、処理を終了する。
【００４２】
以上のように構成した本実施の形態の自動分析装置の動作について説明する。
【００４３】
図８は、自動分析装置の動作の一例を示す図である。
【００４４】
図８では、適用時期設定部３０３で設定なし選択部３０３ａが選択された状態で、スタンバイ状態でスタートボタンが押下された場合を例示している。
【００４５】
図８において、制御部１１４ｃは、設定部（表示部１１４ａ、入力部１１４ｂ）によりスタートボタンが押下されると（ステップＳ８０１）、第１の記憶部１２４からパラメータをよみだして取得し（ステップＳ８０２）、分析部１１１にその取得したパラメータを送信する（ステップＳ８０３）。このとき、分析部１１１では分析処理が開始される。
【００４６】
次に、設定部においてオペレータがパラメータの設定・編集を行うと（ステップＳ８０４）、自動分析装置１００の状態は分析処理中であるため、設定・編集したパラメータを第１の記憶部１２４ではなく第２の記憶部１３４にテンポラリファイル（Ｎｏ．１）として記憶する（ステップＳ８０５）。この状態で再度スタートボタンが押下されると（ステップＳ８０６）、第２の記憶部１３４から最新のテンポラリファイル（Ｎｏ．１）のパラメータを取得する（ステップＳ８０７）。その後、ステップＳ８０１のスタートボタンの押下により開始された分析処理の結果（ステップＳ８０２のパラメータを使用）が分析部１１１から制御装置１１４に出力される（ステップＳ８０８）。このとき、制御装置１１４は、ステップＳ８０６のスタートボタンの押下により開始される分析処理で用いるパラメータとして、ステップＳ８０７で取得したパラメータを分析部に送信する（ステップＳ８０９）。
【００４７】
次に、設定部においてオペレータが再度パラメータの設定・編集を行うと（ステップＳ８１０）、自動分析装置１００の状態は分析処理中であるため、設定・編集したパラメータを第１の記憶部１２４ではなく第２の記憶部１３４にテンポラリファイル（Ｎｏ．２）として記憶する（ステップＳ８１１）。このとき、第２の記憶部１３４にはテンポラリファイル（Ｎｏ．１）も記憶されているが、図示を省略する。この状態で再度スタートボタンが押下されると（ステップＳ８１２）、第２の記憶部１３４から最新のテンポラリファイル（Ｎｏ．２）のパラメータを取得する（ステップＳ８１３）。その後、ステップＳ８０６のスタートボタンの押下により開始された分析処理の結果（ステップＳ８０７のパラメータを使用）が分析部１１１から制御装置１１４に出力される（ステップＳ８１４）。このとき、制御装置１１４は、ステップＳ８１２のスタートボタンの押下により開始される分析処理で用いるパラメータとして、ステップＳ８１３で取得したパラメータを分析部に送信する（ステップＳ８１５）。
【００４８】
その後、ステップＳ８１２のスタートボタンの押下により開始された分析処理の結果（ステップＳ８１３のパラメータを使用）が分析部１１１から制御装置１１４に出力され（ステップＳ８１６）、その後、スタンバイ状態に遷移する。このとき、第２の記憶部１３４の最新のテンポラリファイル（Ｎｏ．２）を第１の記憶部１２４に記憶し（ステップＳ８１７）、第２の記憶部１３４に記憶された全てのパラメータ（テンポラリファイルＮｏ．１，Ｎｏ．２）を削除する（ステップＳ８１８）。
【００４９】
以上のように構成した本実施の形態の効果を説明する。
【００５０】
自動分析装置では、メンテナンスや試薬の評価、測定結果の妥当性の確認等を目的として、測定項目やシステムに関するパラメータをユーザーが設定・編集する場合がある。その一方で、試料の測定中におけるパラメータの設定・編集は測定中の測定項目の測定結果に影響を生じる可能性があるため、試料の測定中のパラメータの設定・編集は制限されている場合が多い。このため、パラメータの設定・編集を行う場合には、ユーザーは測定中の測定項目が完了するまで待機したり、測定中の測定項目を中断したりすることで自動分析装置をパラメータの設定・編集が可能な状態（スタンバイ状態）に移行させる必要が生じる。しかしながら、パラメータの設定・編集を行う際に自動分析装置がスタンバイ状態になるまでオペレータが待機する必要が生じた場合には作業効率が低下するおそれがある。また、パラメータの設定・編集はスタンバイ状態で行うために試料の測定を行うことができず、作業効率のさらなる低下が懸念される。特に、大病院や臨床検査センターなどでは分析対象の試料数が多いために自動分析装置を２４時間稼動させる場合もあり、スタンバイ状態になるまでオペレータが待機したり、測定を停止するスタンバイ状態でパラメータの設定・編集を行ったりすることの影響が大きいと考えられる。
【００５１】
これに対して本実施の形態においては、分析処理を行っていない状態であるスタンバイ状態中に分析処理に用いるパラメータが設定・編集された場合にはそのパラメータを第１の記憶部１２４に記憶するとともに第１の記憶部１２４に記憶されたパラメータを用いて分析処理を実行し、分析処理中にパラメータが設定・編集された場合にはそのパラメータを第２の記憶部１３４に記憶し、分析処理を実行している状態からスタンバイ状態に遷移した場合には第２の記憶部１３４に記憶されたパラメータを第１の記憶部１２４に記憶するように構成したので、パラメータの設定・編集に伴う作業効率の低下を抑制することができる。
【００５２】
なお、本発明は上記した各実施の形態に限定されるものではなく、様々な変形例が含まれる。例えば、上記した実施の形態は本願発明を分かりやすく説明するために詳細に説明したものであり、必ずしも説明した全ての構成を備えるものに限定されるものではない。また、上記の各構成、機能等は、それらの一部又は全部を、例えば集積回路で設計する等により実現してもよい。また、上記の各構成、機能等は、プロセッサがそれぞれの機能を実現するプログラムを解釈し、実行することによりソフトウェアで実現してもよい。
【符号の説明】
【００５３】
１００  自動分析装置
１０１  試料容器
１０２  試料容器ラック
１０３  搬送ライン
１０４  試薬ディスク
１０４ａ  試薬容器
１０５  反応ディスク
１０５ａ  反応容器
１０６  試料分注機構
１０７  試薬分注機構
１０８  測定部
１０８ａ  光源
１０８ｂ  検出器
１１０  試料容器投入部
１１１  分析部
１１２  試料容器収納部
１１３  ハブ
１１４  制御装置
１１４ａ  表示部
１１４ｂ  入力部
１１４ｃ  制御部
１１４ｄ  記憶部
１１５  公衆回線
１１６  上位ホストシステム
１１７  リモートシステム
１２４  第１の記憶部
１３４  第２の記憶部
３０１  パラメータ設定画面
３０２  パラメータ入力部
３０３  適用時期設定部
３０３ａ  設定なし選択部
３０３ｂ  日付指定部
３０４  登録ボタン
３０５  閉じるボタン
【図１】
2018036232.tif 000003
【図２】
2018036232.tif 000004
【図３】
2018036232.tif 000005
【図４】
2018036232.tif 000006
【図５】
2018036232.tif 000007
【図６】
2018036232.tif 000008
【図７】
2018036232.tif 000009
【図８】
2018036232.tif 000010